(57)【要約】【課題】環境要因に左右されずに光学素子へのゴミ・ケバの付着を防止できるプロジェクタを提供することである。【解決手段】プロジェクタ１は、映像光を形成する光学系５を構成し、プロジェクタ１の外装（外装ケース２）の内部に配設される光学素子（液晶パネル５４１など）と、プロジェクタ１の光学系５の反鉛直方向側の外装（外装ケース２）を構成する上ケース２１と、上ケース２１に設置されスイッチ素子を駆動するスイッチ基板８１とを有し、スイッチ基板８１の少なくとも光学素子側（液晶パネル５４１など）の縁部領域に、防塵構造７が設置される。【選択図】図４
2008089865.tif 000002
【特許請求の範囲】
【請求項１】
映像光を投射するプロジェクタであって、
前記映像光を形成する光学系を構成し、前記プロジェクタの外装の内部に配設される光学素子と、
前記プロジェクタの前記光学系の反鉛直方向側の前記外装を構成する上ケースと、
前記上ケースに設置され、スイッチ素子を駆動するスイッチ基板とを有し、
前記スイッチ基板の少なくとも前記光学素子側の縁部領域に、防塵構造が設置されていることを特徴とするプロジェクタ。
【請求項２】
請求項１に記載のプロジェクタであって、
前記スイッチ基板の縁部領域が前記光学素子のほぼ反鉛直側領域に配設される場合、前記防塵構造が設置されることを特徴とするプロジェクタ。
【請求項３】
請求項１または請求項２に記載のプロジェクタであって、
前記光学素子は、前記光学系において、前記映像光が投射される投射面を含めた共役な位置関係に配設される前記光学素子であることを特徴とするプロジェクタ。
【請求項４】
請求項３に記載のプロジェクタであって、
前記光学素子は前記映像光を形成するために光束を変調する光変調装置であることを特徴とするプロジェクタ。
【請求項５】
請求項１〜請求項４のいずれか一項に記載のプロジェクタであって、
前記防塵構造は、テープ部材により構成されていることを特徴とするプロジェクタ。
【請求項６】
請求項５に記載のプロジェクタであって、
前記テープ部材は、耐熱性を有することを特徴とするプロジェクタ。
【発明の詳細な説明】
【技術分野】
【０００１】
本発明はプロジェクタに関する。詳細には、プロジェクタの防塵に関するものである。
【背景技術】
【０００２】
従来、プロジェクタの組立工程、製品出荷後にライトバルブの光束入射面や射出面にゴミ・ケバが付着することがあり、投射画像の品質を低下させていた。
このような状況において、特許文献１では、液晶パネルの光束入射面や射出面に帯電防止層を設けて、静電気による液晶パネルの光束入射面や射出面へのゴミ・ケバの付着を防止することが開示されている。
【０００３】
【特許文献１】特開平２００２−１４４２１号公報
【発明の開示】
【発明が解決しようとする課題】
【０００４】
上記、特許文献１によると、静電気によるゴミ・ケバの付着の防止は行えるが、湿度変化など静電気以外の環境要因によるゴミ・ケバの付着を防止することは困難であった。また、帯電防止層を設けることは、コストアップとなっていた。
【０００５】
本発明の目的は、上記課題に鑑みてなされたものであり、環境要因に左右されずに光学素子へのゴミ・ケバの付着を防止できるプロジェクタを提供することを目的とする。
【課題を解決するための手段】
【０００６】
上述した目的を達成するために、本発明のプロジェクタは、映像光を形成する光学系を構成し、プロジェクタの外装の内部に配設される光学素子と、プロジェクタの光学系の反鉛直方向側の外装を構成する上ケースと、上ケースに設置されスイッチ素子を駆動するスイッチ基板とを有し、スイッチ基板の少なくとも光学素子側の縁部領域に、防塵構造が設置されていることを特徴とする。
【０００７】
このようなプロジェクタによれば、光学系を構成する光学素子と、光学系の反鉛直方向側の上ケースに設置されるスイッチ基板とを有しており、防塵構造がスイッチ基板の少なくとも光学素子側の縁部領域に設置されている。従って、ゴミ・ケバの発生源となるスイッチ基板の縁部領域に防塵構造を設置することにより、ゴミ・ケバ自体の発生を防止することができるため、静電気や湿度などの環境要因に左右されずに光学素子へのゴミ・ケバの付着を防止できるプロジェクタを提供することが可能となる。
【０００８】
また、上記プロジェクタにおいて、スイッチ基板の縁部領域が光学素子のほぼ反鉛直側領域に配設される場合、防塵構造が設置されることが好ましい。
このようなプロジェクタによれば、防塵構造により、最も光学素子にゴミ・ケバが付着し易い条件となる、光学素子のほぼ反鉛直側領域に防塵構造が配設されるため、スイッチ基板の縁部領域からのゴミ・ケバの落下による付着を最も効率的に防止できる。
なお、反鉛直方向とは、プロジェクタを机上面などに載置して使用する場合を基準としている。
【０００９】
また、上記プロジェクタにおいて、光学素子は、光学系において、映像光が投射される投射面を含めた共役な位置関係に配設される光学素子であることが好ましい。
このようなプロジェクタによれば、映像光が投射される投射面を含めた共役な位置関係に配設される光学素子に対して、その光学素子側のスイッチ基板の縁部領域に防塵構造を設置することによりゴミ・ケバの発生を防止するが、投射映像などへのゴミ・ケバの映り込みの防止（投射映像の画質低下防止）に最も効果がある。
【００１０】
また、上記プロジェクタにおいて、光学素子は映像光を形成するために光束を変調する光変調装置であることが好ましい。
このようなプロジェクタによれば、共役な位置関係に配設される光学素子においても、特に、映像光を形成するために光束を変調する光変調装置に対して、その光変調装置側のスイッチ基板の縁部領域に防塵構造を設置することにより、投射映像などへのゴミ・ケバの映り込みの防止（投射映像の画質低下防止）に最も効果を奏する。
【００１１】
また、上記プロジェクタにおいて、防塵構造は、テープ部材により構成されていることが好ましい。
このようなプロジェクタによれば、テープ部材により防塵構造が構成されるため、低コストであり、また、プロジェクタの組立工程時に容易に設置することができる。
【００１２】
また、上記プロジェクタにおいて、テープ部材は、耐熱性を有することが好ましい。
このようなプロジェクタによれば、テープ部材は耐熱性を有するため、プロジェクタが映像光を投射することに伴い発生する熱によるテープ部材の変質などの不具合を防止できる。
【発明を実施するための最良の形態】
【００１３】
以下、本発明の実施形態を図面に基づいて説明する。
（実施形態）
【００１４】
図１は、本発明の実施形態に係るプロジェクタの概略斜視図である。なお、図１は、プロジェクタ１を上方向から見た斜視図を示している。図１を参照して、プロジェクタ１の全体構成を説明する。
【００１５】
プロジェクタ１の外装を構成する外装ケース２は、反鉛直側となる上面側と投射レンズ３の光射出方向の反対側となる背面側を構成する上ケース２１と、投射レンズ３の光射出方向側となる前面側を構成する前ケース２２と、鉛直側となる底面側と投射レンズ３の光射出方向からプロジェクタ１を見た場合の左右側となる側面側を構成する下ケース２３とから構成される。また、外装ケース２は、合成樹脂材料により形成されている。
【００１６】
上ケース２１の上面側において、後方側（投射レンズ３と逆側）の中央に、プロジェクタ１の投射画質などを調整するためのスイッチ素子としてのキースイッチが構成されたスイッチ部６が設けられている。また、上ケース２１の背面側には、外部電力供給用のＡＣインレット２１１や各種の入出力端子群２１２（いずれも図４参照）が配置されている。
【００１７】
前ケース２２には、光学系５により変調され合成された映像光を拡大投射する投射レンズ３が、前ケース２２に向かって左側に取り付けられている。さらに、前ケース２２の中央には、リモートコントローラ（図示省略）からの信号を受信するリモコン受光部２２１が設けられている。前ケース２２の右側には、プロジェクタ１の内部の温まった空気をプロジェクタ１の外部に排気するダクト２２２が設けられている。
【００１８】
図２は、プロジェクタの光学系の概略構成図である。図２を参照して、光学系５の構成を説明する。
光学系５は、光源装置５１１から射出された光束を画像情報に応じて変調して光学像としての映像光を形成し、投射レンズ３を介して投射して、スクリーン上に投射映像を形成する。
【００１９】
光学系５は、インテグレータ照明光学系５１と、色分離光学系５２と、リレー光学系５３と、光変調装置と、色合成光学系と、投射光学系とから構成される。また、光変調装置と色合成光学系とは一体化した光学装置５４として構成されている。
【００２０】
インテグレータ照明光学系５１は、光源から射出された光束を照明光軸Ｌに直交する面内における照度を均一にするための光学系５である。このインテグレータ照明光学系５１は、光源装置５１１、第１レンズアレイ５１２、第２レンズアレイ５１３、偏光変換素子５１４、および重畳レンズ５１５を備えて構成される。
【００２１】
光源装置５１１は、放射光源としての光源ランプ５１１Ａおよびリフレクタ５１１Ｂを備えて構成されている。そして、光源ランプ５１１Ａから射出された放射状の光束は、リフレクタ５１１Ｂで反射されて略平行光束とされ、外部へと射出される。本実施形態では、光源ランプ５１１Ａとして、高圧水銀ランプを採用し、リフレクタ５１１Ｂとして、放物面鏡を採用している。なお、光源ランプ５１１Ａとしては、高圧水銀ランプに限らず、例えばメタルハライドランプやハロゲンランプ等を採用してもよい。また、リフレクタ５１１Ｂとして放物面鏡を採用しているが、これに限らず、楕円面鏡からなるリフレクタ５１１Ｂの射出面に平行化凹レンズを配置した構成を採用してもよい。
【００２２】
第１レンズアレイ５１２は、照明光軸Ｌ方向から見て略矩形形状の輪郭を有する小レンズがマトリクス状に配列された構成を有している。各小レンズは、光源ランプ５１１Ａから射出された光束を部分光束に分割し、照明光軸方向に射出する。
第２レンズアレイ５１３は、第１レンズアレイ５１２と略同様の構成であり、小レンズがマトリクス状に配列された構成を有する。この第２レンズアレイ５１３は、重畳レンズ５１５とともに、第１レンズアレイ５１２の各小レンズの像を光学装置５４の後述する電気光学装置（液晶パネル５４１）上に結像させる機能を有する。
【００２３】
偏光変換素子５１４は、第２レンズアレイ５１３からの光を略１種類の偏光光に変換するものであり、これにより、光学装置５４での光の利用効率が高められている。詳細には、偏光変換素子５１４によって略１種類の偏光光に変換された各部分光束は、重畳レンズ５１５によって最終的に光学装置５４の後述する液晶パネル５４１上にほぼ重畳される。
【００２４】
色分離光学系５２は、２枚のダイクロイックミラー５２１，５２２と、反射ミラー５２３とを備える。インテグレータ照明光学系５１から射出された複数の部分光束は、２枚のダイクロイックミラー５２１，５２２により赤（Ｒ）、緑（Ｇ）、青（Ｂ）の３色の色光に分離される。
【００２５】
リレー光学系５３は、入射側レンズ５３１と、リレーレンズ５３３と、反射ミラー５３２，５３５とを備えている。このリレー光学系５３は、色分離光学系５２で分離された色光である青色光を光学装置５４の後述する青色光用の液晶パネル５４１まで導く機能を有している。
【００２６】
この際、色分離光学系５２のダイクロイックミラー５２１では、インテグレータ照明光学系５１から射出された光束のうち、緑色光成分と青色光成分とは透過し、赤色光成分は反射する。ダイクロイックミラー５２１によって反射した赤色光は、反射ミラー５２３で反射し、フィールドレンズ５１９を通って、赤色光用の液晶パネル５４１に到達する。このフィールドレンズ５１９は、第２レンズアレイ５１３から射出された各部分光束をその中心軸（主光線）に対して平行な光束に変換する。青色光および緑色光用の液晶パネル５４１の光入射側に設けられたフィールドレンズ５１９も同様である。
【００２７】
ダイクロイックミラー５２１を透過した青色光と緑色光のうち、緑色光は、ダイクロイックミラー５２２によって反射し、フィールドレンズ５１９を通って、緑色光用の液晶パネル５４１に到達する。一方、青色光は、ダイクロイックミラー５２２を透過してリレー光学系５３を通り、さらにフィールドレンズ５１９を通って、青色光用の液晶パネル５４１に到達する。なお、青色光にリレー光学系５３が用いられているのは、青色光の光路の長さが他の色光の光路長さよりも長いため、光の発散等による光の利用効率の低下を防止するためである。すなわち、入射側レンズ５３１に入射した部分光束をそのまま、フィールドレンズ５１９に伝えるためである。なお、リレー光学系５３には、３つの色光のうちの青色光を通す構成としたが、これに限らず、例えば、赤色光を通す構成としてもよい。
【００２８】
光学装置５４は、入射された光束を画像情報に応じて変調してカラー画像を形成する。この光学装置５４は、色分離光学系５２で分離された各色光が入射される光学素子としての３つの入射側偏光板５４２（赤色光用を赤色光用入射側偏光板５４２Ｒ、緑色光用を緑色光用入射側偏光板５４２Ｇ、青色光用を青色光用入射側偏光板５４２Ｂとする）を備える。また、各入射側偏光板５４２の後段に設置される光変調装置としての３つの液晶パネル５４１（赤色光用を赤色光用液晶パネル５４１Ｒ、緑色光用を緑色光用液晶パネル５４１Ｇ、青色光用を青色光用液晶パネル５４１Ｂとする）を備える。また、各液晶パネル５４１の後段に設置される３つの射出側偏光板５４３（赤色光用を赤色光用射出側偏光板５４３Ｒ、緑色光用を緑色光用射出側偏光板５４３Ｇ、青色光用を青色光用射出側偏光板５４３Ｂとする）と１つの色合成光学系としてのクロスダイクロイックプリズム５４４とを備える。
【００２９】
液晶パネル５４１（５４１Ｒ，５４１Ｇ，５４１Ｂ）は、例えば、ポリシリコンＴＦＴ（Thin Film Transistor）をスイッチング素子として用いたものであり、対向配置される一対の透明基板内に液晶が密封封入されている。そして、この液晶パネル５４１は、入射側偏光板５４２を介して入射する光束を画像情報に応じて変調して射出する。
【００３０】
入射側偏光板５４２は、色分離光学系５２で分離された各色光のうち、一定方向の偏光光のみ透過させ、その他の光束を吸収するものである。また、射出側偏光板５４３も、入射側偏光板５４２と略同様に構成され、液晶パネル５４１から射出された光束のうち、所定方向の偏光光のみ透過させ、その他の光束を吸収するものであり、透過させる偏光光の偏光軸は、入射側偏光板５４２における透過させる偏光光の偏光軸に対して直交するように設定されている。
【００３１】
クロスダイクロイックプリズム５４４は、射出側偏光板５４３から射出され、色光毎に変調された光学像を合成してカラー画像を形成するものである。このクロスダイクロイックプリズム５４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム５４４によって合成された色光は、投射レンズ３の方向に射出される。そして、クロスダイクロイックプリズム５４４から射出された映像光はカラー画像として、投射光学系を構成する投射レンズ３により拡大され、投射面としてのスクリーンなどに投射される。
【００３２】
上述した液晶パネル５４１（５４１Ｒ，５４１Ｇ，５４１Ｂ）、射出側偏光板５４３（５４３Ｒ，５４３Ｇ，５４３Ｂ）は、固定する部材を介在してクロスダイクロイックプリズム５４４と固定され光学装置５４が構成される。そして、クロスダイクロイックプリズム５４４は、後述するヘッド体５８に固定される。但し、入射側偏光板５４２は、光学装置５４を構成するが後述する光学用筐体５５側に収容される。
【００３３】
インテグレータ照明光学系５１と色分離光学系５２とリレー光学系５３とは、これらの光学系５１，５２，５３を構成する各光学部品を収容して固定する光学用筐体５５を備えて光学ユニット５０を構成している。光学用筐体５５は、上収容枠体５５Ａと下収容枠体５５Ｂ（いずれも図４参照）とで構成され、この上収容枠体５５Ａと下収容枠体５５Ｂとにより、上下方向から各光学部品を挟む形態で各光学部品を収容し固定している（図４参照）。また、下収容枠体５５Ｂに対して上収容枠体５５Ａがネジ固定され光学ユニット５０が完成する。また、光学ユニット５０は、下ケース２３の内側底面に固定ネジにより固定される。
【００３４】
図３は、光学装置とヘッド体と投射レンズとで構成される光学ヘッドユニットの概略斜視図である。図４は、プロジェクタの概略断面図である。図４は、詳細には図１におけるＡ−Ａの垂直断面図である。また、図４は、断面を模式的に示した図となっている。図３、図４を参照して、光学装置５４、ヘッド体５８および光学ヘッドユニット５９の構成を説明する。
【００３５】
最初に、光学装置５４の構成を、光学装置５４の組立方法を交えて説明する。
３つの液晶パネル５４１Ｒ，５４１Ｇ，５４１Ｂは、クロスダイクロイックプリズム５４４の３方向の側面を囲むように配置される。具体的には、各液晶パネル５４１Ｒ，５４１Ｇ，５４１Ｂは、合成樹脂製の保持枠５４５内に収容される。そして、この保持枠５４５の四隅部分に形成される孔５４５Ａに透明樹脂製のピン５４６を紫外線硬化型接着剤とともに挿入することにより、クロスダイクロイックプリズム５４４の光束入射端面（３方向の側面）に接着固定された、いわゆるＰＯＰ（Panel On Prism）構造によりクロスダイクロイックプリズム５４４に近接した状態で固定されている。ここで、保持枠５４５には、矩形状の開口部５４５Ｂが形成され、各液晶パネル５４１Ｒ，５４１Ｇ，５４１Ｂは、この開口部５４５Ｂで露出し、この部分が画像形成領域となる。すなわち、各液晶パネル５４１Ｒ，５４１Ｇ，５４１Ｂのこの部分に各色光Ｒ，Ｇ，Ｂが導入され、画像情報に応じて光学像が形成される。
【００３６】
なお、３つの液晶パネル５４１Ｒ，５４１Ｇ，５４１Ｂには、接続ケーブル８５が接続されており、後述するメイン基板８００に接続される。メイン基板８００からは、接続ケーブル８５を介して液晶パネル５４１に駆動信号が送信される。液晶パネル５４１は、その駆動信号（画像情報）により駆動する。
【００３７】
次に、ヘッド体５８および光学ヘッドユニット５９の構成を、光学ヘッドユニット５９の組立方法を交えて説明する。
光学装置５４は、光学用筐体５５とは別に備える構造体のヘッド体５８に収容して固定される。ヘッド体５８は、側面視略Ｌ字状で、マグネシウム合金の一体成形品で形成されている。そして、このヘッド体５８の水平面上側に、光学装置５４を収容し、詳細には、クロスダイクロイックプリズム５４４が固定部材５４７を介してネジ（図示省略）により固定される。また、ヘッド体５８の垂直面外側に、投写レンズ３がネジ（図示省略）により固定される。このように、ヘッド体５８に光学装置５４および投射レンズ３を固定することにより光学ヘッドユニット５９が完成する。この光学ヘッドユニット５９は、前述した光学用筐体５５も案内して固定する構造となっている。そして、光学ヘッドユニット５９は、ヘッド体５８を介して下ケース２３の内側底面に固定ネジ（図示省略）により固定される。
【００３８】
図４を参照して、光学ユニット５０、光学ヘッドユニット５９以外の構成を説明する。
図４に示すように、外装ケース２の内部には、プロジェクタ１の装置本体が収容されている。そして、下ケース２３の底面には、光学ユニット５０、光学ヘッドユニット５９が固定されている。また、光学ユニット５０、光学ヘッドユニット５９の横方向の背面側には、プロジェクタ１の底面に設置される空気取入口（図示省略）から外気を吸気して光学ユニット５０や光学ヘッドユニット５９や電源ユニット（図示省略）に吐出するための送風路となるダクト２２３が設置されている。なお、ダクト２２３は、前ケース２２に設けられるダクト２２２に接続されている。
【００３９】
光学ユニット５０、光学ヘッドユニット５９、ダクト２２３の上方には、制御基板８０が設置されている。また、上ケース２１の背面側には、外部電力供給用のＡＣインレット２１１や各種の入出力端子群２１２が実装されたインターフェース基板８２が設置されている。
【００４０】
液晶パネル５４１に接続される接続ケーブル８５は、制御基板８０（詳細には、後述するメイン基板８００）の端面近傍に実装されるコネクタ９１と接続される。それにより、制御基板８０と液晶パネル５４１が導通される。また、インターフェース基板８２に実装されるコネクタ９３Ａと制御基板８０に実装されるコネクタ９３Ｂを接続ケーブル８７で接続することにより、インターフェース基板８２と制御基板８０が導通される。
【００４１】
ここで、上ケース２１に設置されるスイッチ部６に関して、構成と動作を説明する。
図４に示すように、スイッチ部６は、キートップ６１とスイッチラバー６２とスイッチ基板８１とから構成されている。なお、この構成によりキースイッチが形成されることになる。
【００４２】
スイッチ基板８１は、略四辺形の外形を有し、各スイッチに対応させて、対向電極８１１がパターニングされ形成されている。その対向電極８１１に対応させて、その上部には、ドーム状の断面を有するドーム部６２１を有し、ドーム部６２１の上部中心から内側に突出する突起部６２２が形成され、その突起部６２２の先端には接点部６２３が形成された、シリコーンゴム製の弾性を有するスイッチラバー６２が載置されている。なお、接点部６２３は、導電性のシリコーンインクにより形成されている。そして、ドーム部６２１の天面には、略キャップ状の断面形状を有し、先端側を上ケース２１に設けるスイッチ用孔２１５から突出させる合成樹脂製のキートップ６１が載置されている。
【００４３】
なお、スイッチ基板８１は、上ケース２１から内側に突設したリブ２１６により、スイッチラバー６２の接点部６２３とスイッチ基板８１の対向電極８１１との隙間が所定値となるように設置され、ネジ８１９で上ケース２１に固定される。
【００４４】
この構成により、キートップ６１を押下すると、その下のスイッチラバー６２のドーム部６２１が押下される。それにより、接点部６２３が、スイッチ基板８１の対向電極８１１に当接して押圧する。それにより、対向電極８１１の電極間が接点部６２３により導通（スイッチがＯＮ）する。この一連の動作により、キースイッチが動作（駆動）することになる。
【００４５】
なお、スイッチ基板８１は、スイッチ基板８１に実装されるコネクタ９２Ａと、制御基板８０に実装されるコネクタ９２Ｂに接続ケーブル８６を接続することにより導通しており、対向電極８１１の電極間が導通した（キースイッチが動作（駆動）した）ことによる信号を制御基板８０は操作信号として受信し、スイッチがＯＮした（操作信号が入力した）と判断する。
【００４６】
ここで、制御基板８０の構成と動作を概略説明する。
制御基板８０は、詳細には、メイン基板８００と、このメイン基板８００と光源装置５１１との間に配置されるサブ基板（図示省略）とを備えている。
【００４７】
メイン基板８００は、ＣＰＵ（Central Processing Unit）等の演算処理装置が実装された回路基板として構成され、プロジェクタ１全体を制御している。このメイン基板８００は、インターフェース基板８２から出力される信号に基づいて、光変調装置としての各液晶パネル５４１Ｒ，５４１Ｇ，５４１Ｂを駆動制御する。そして、各液晶パネル５４１Ｒ，５４１Ｇ，５４１Ｂは、光変調を実施して光学像を形成する。なお、インターフェース基板８２は、入出力端子群２１２からの入出力信号を処理する回路基板である。また、メイン基板８００は、スイッチ部６やリモコン受光部２２１から入力された操作信号を入力し、この操作信号に基づいてプロジェクタ１の構成部に適宜、制御指令を出力する。
【００４８】
サブ基板は、冷却ユニット（図示省略）を構成する複数の冷却ファン（図示省略）を駆動するためのファン駆動回路が実装された基板であり、メイン基板９００と電気的に接続され、メイン基板８００から出力される制御信号を入力することで、冷却ファン（図示省略）を駆動させる。
【００４９】
ここで、スイッチ基板８１は、上ケース２１に設置され、また、制御基板８０の上方に配設されている。また、スイッチ基板８１の一方の縁部領域が光学装置５４（詳細には、液晶パネル５４１）の略反鉛直側となる位置関係で配設される形態となっている。
【００５０】
そして、液晶パネル５４１の略反鉛直側に位置するスイッチ基板８１の一方の縁部領域には、防塵構造７が設置されている。本実施形態においては、液晶パネル５４１側の端面８１５を中心とした周辺領域となるスイッチ基板８１の下面側と上ケース２１の内面側に渡って、テープ部材７１が貼付されることにより、防塵構造７が設置されている。なおテープ部材７１は、耐熱性を有するポリイミドテープを用いている。
【００５１】
ここで、縁部領域とは、端面８１５のみを示す場合や、端面８１５及びその端面８１５を中心とした周辺領域となるスイッチ基板８１の上面側や、または下面側を含んで示す場合や、本実施形態のように、端面８１５を中心とした周辺領域となるスイッチ基板８１の下面側と上ケース２１の内面側を含んで示す場合もある。
【００５２】
ここで、スイッチ基板８１に防塵構造７を設置するに至った経緯を説明する。
以前からプロジェクタから投射された投射画像にゴミ・ケバの影が映り込むことが有り、液晶パネルの光束入射面や光束射出面に付着したゴミ・ケバであることがわかっていた。そして、このゴミ・ケバはどこから来るのかを調査するために、本願発明者は、液晶パネルに実際に付着したゴミ・ケバを解析した。その結果、このゴミ・ケバは、スイッチ基板を構成する基材と同質のものであるということを突き止めた。そして発明者は更に、ゴミ・ケバは、スイッチ部のスイッチ素子が駆動された場合に、スイッチ基板の端面（この場合、スイッチ基板の４つの端面）から発生することを突き止めるに至った。詳細には、スイッチ素子が駆動された場合に、スイッチ基板の端面からスイッチ基板を構成する基材の粉状の物質が落下することなどにより、ゴミ・ケバとなることを突き止めた。その結果、本発明に至った。
【００５３】
上述した、第１実施形態によれば以下の効果が得られる。
（１）本実施形態のプロジェクタ１によれば、光学系５を構成する光学素子（液晶パネル５４１）と、上ケース２１に設置されるスイッチ基板８１とを有しており、防塵構造７を構成するテープ部材７１がスイッチ基板８１の光学素子（液晶パネル５４１）側に位置する縁部領域となる、端面８１５を中心とした周辺領域となるスイッチ基板８１の下面側と上ケース２１の内面側に渡る部分に貼付（設置）されている。従って、ゴミ・ケバの発生源となるスイッチ基板８１の縁部領域に防塵構造７を設置することにより、ゴミ・ケバ自体の発生を防止することができるため、静電気や湿度などの環境要因に左右されずに光学素子（液晶パネル５４１）へのゴミ・ケバの付着を防止できるプロジェクタ１を提供することが可能となる。
【００５４】
（２）本実施形態のプロジェクタ１によれば、光学素子（液晶パネル５４１）にゴミ・ケバが付着し易い条件となる、光学素子（液晶パネル５４１）の略反鉛直側にスイッチ基板８１の縁部領域（端面８１５を含む領域）が位置する場合に、その縁部領域に防塵構造７を構成するテープ部材７１が設置されているため、効率的にゴミ・ケバの落下による付着を防止できる。
【００５５】
（３）本実施形態のプロジェクタ１によれば、映像光が投射される投射面を含めた共役な位置関係に配設される液晶パネル５４１の反鉛直側に、スイッチ基板８１の縁部領域が配設されており、その縁部領域に防塵構造７を構成するテープ部材７１が設置されている。それにより、最も効果的に投射映像などへのゴミ・ケバの映り込みの防止（投射映像の画質低下防止）を図ることができる。
【００５６】
（４）本実施形態のプロジェクタ１によれば、テープ部材７１により防塵構造７が構成されるため、低コストであり、また、プロジェクタ１の組立工程時に容易に設置することができる。
【００５７】
（４）本実施形態のプロジェクタ１によれば、テープ部材７１は耐熱性を有するため、プロジェクタ１が映像光を投射することに伴い発生する熱によるテープ部材７１の変質などの不具合を防止できる。
【００５８】
なお、本発明は、上述した実施形態に限定されず、種々の変更や改良などを加えることが可能である。変形例を以下に述べる。
【００５９】
（変形例１）前記実施形態において、映像光が投射される投射面を含めた共役な位置関係に配設される液晶パネル８５４に対して、その液晶パネル８５４側のスイッチ基板８１の縁部領域に防塵構造７を設置している。しかし、液晶パネル５４１のほか、液晶パネル５４１と共役な位置関係となる光学素子としての第１レンズアレイ５１２に対しても、その第１レンズアレイ５１２側のスイッチ基板８１の縁部領域に防塵構造７を設置することにより、同様の効果を奏することができる。また、本実施形態のプロジェクタ１は、インテグレータ光学系を用いているが、ロッドインテグレータ光学系を用いた場合には、ロッドレンズの射出端面に対しても同様に防塵構造７を設置することにより、同様の効果を奏することができる。
【００６０】
（変形例２）前記実施形態において、防塵構造７として、テープ部材７１を使用しているが、成形された部材、例えば、弾性を有する断面コ字状の成形部材などを用いて、スイッチ基板８１の端面８１５に覆い被せるなどしても良い。また、硬化樹脂を用いて、スイッチ基板８１の端面８１５に塗布するなどしても良い。
【００６１】
（変形例３）前記実施形態において、防塵構造７は、液晶パネル５４１側に位置するスイッチ基板８１の縁部領域に設置しているが、液晶パネル５４１側に位置するスイッチ基板８１の縁部領域を含んで、他の縁部領域にも設置することにより、更にゴミ・ケバの発生を防止できる。
【００６２】
なお、本発明を実施するための最良の形態を、上記記載で開示しているが、本発明は、これに限定されるものではない。すなわち、本発明は、主に特定の実施形態に関して図示し、かつ、説明しているが、本発明の要旨から逸脱することなく、上述した実施形態に対し、詳細な構成部材や、構成部材の形状・材質・数量などにおいて、当業者が様々な変形（変更ならびに改良）を加えることができるものである。従って、詳細な構成部材や、構成部材の形状・材質・数量などにおいて、当業者が様々な変形を加えることにより実施する場合も本発明に含まれるものである。
【図面の簡単な説明】
【００６３】
【図１】本発明の実施形態に係るプロジェクタの概略斜視図。
【図２】プロジェクタの光学系の概略構成図。
【図３】光学装置とヘッド体と投射レンズとで構成される光学ヘッドユニットの概略斜視図。
【図４】プロジェクタの概略断面図。
【符号の説明】
【００６４】
１…プロジェクタ、２…外装ケース、３…投写レンズ、５…光学系、６…スイッチ部、７…防塵構造、２１…上ケース、６１…キートップ、６２…スイッチラバー、７１…テープ部材、８１…スイッチ基板、２１５…スイッチ用孔、２１６…リブ、５１２…第１レンズアレイ、５４１…液晶パネル、６２１…ドーム部、６２２…突起部、６２３…接点部、８１１…対向電極、８１５…端面。
【図１】
2008089865.tif 000003
【図２】
2008089865.tif 000004
【図３】
2008089865.tif 000005
【図４】
2008089865.tif 000006